(57)【特許請求の範囲】
【請求項１】
貫通孔を有するケースと、
このケースの前記貫通孔に取り付けられた円筒部材と、
この円筒部材に挿入される軸部および外端部の操作部を有する操作部材と、
この操作部材に取り付けられ、径方向に弾性変位する変位部を有するばね部材と、
を備え、
前記円筒部材の外周面には、
軸方向に沿って形成されて前記ケースの外側に位置する端部が開口され、且つ前記ばね部材の前記変位部が挿脱可能に挿入して移動する複数の案内溝と、
この複数の案内溝を除く位置に形成され、前記ばね部材の前記変位部が前記円筒部材の外端部よりも外側に位置した状態で、前記操作部材を軸方向の内側に移動させた際に、前記ばね部材の前記変位部が弾力的に乗り越え、且つ前記ばね部材の前記変位部が前記円筒部材の外端部よりも内側に位置する状態で、前記操作部材を前記軸方向の外側に移動させた際に、前記ばね部材の前記変位部が当接して前記ばね部材の移動を阻止する突起部と、
が設けられ、
前記突起部は、その外側面が傾斜面に形成され、且つ内側面が軸方向と直交する垂直面に形成されていることを特徴とするスイッチ装置。
【請求項２】
請求項１に記載のスイッチ装置において、前記ばね部材は、径方向に弾性変位可能なリング部を有し、このリング部の内周部に前記変位部が前記リング部の中心側に向けて突出する突起状に設けられていることを特徴とするスイッチ装置。
【請求項３】
請求項２に記載のスイッチ装置において、前記変位部には、前記円筒部材の前記突起部にその外側から接近する箇所に面取り部が設けられていることを特徴とするスイッチ装置。
【請求項４】
請求項１に記載のスイッチ装置において、前記ばね部材は、リング部を有し、このリング部に前記変位部が前記リング部の内周部から中心側に向けて斜めに傾斜した状態で弾性変形する板ばね状に設けられていることを特徴とするスイッチ装置。
【請求項５】
貫通孔を有するケースと、
このケースの前記貫通孔に取り付けられた円筒部材と、
この円筒部材に挿入される軸部および外端部の操作部を有する操作部材と、
この操作部材に取り付けられ、径方向に弾性変位する変位部を有するばね部材と、
を備え、
前記円筒部材の外周面には、
軸方向に沿って形成されて前記ケースの外側に位置する端部が開口され、且つ前記ばね部材の前記変位部が挿脱可能に挿入して移動する複数の案内溝と、
この複数の案内溝を除く位置に形成され、前記ばね部材の前記変位部が前記円筒部材の外端部よりも外側に位置した状態で、前記操作部材を軸方向の内側に移動させた際に、前記ばね部材の前記変位部が弾力的に乗り越え、且つ前記ばね部材の前記変位部が前記円筒部材の外端部よりも内側に位置する状態で、前記操作部材を前記軸方向の外側に移動させた際に、前記ばね部材の前記変位部が当接して前記ばね部材の移動を阻止する突起部と、
が設けられ、
前記ばね部材は、径方向に弾性変位可能なリング部を有し、このリング部の内周部に前記変位部が前記リング部の中心側に向けて突出する突起状に設けられ、
前記変位部には、前記円筒部材の前記突起部にその外側から接近する箇所に面取り部が設けられていることを特徴とするスイッチ装置。
【請求項６】
貫通孔を有するケースと、
このケースの前記貫通孔に取り付けられた円筒部材と、
この円筒部材に挿入される軸部および外端部の操作部を有する操作部材と、
この操作部材に取り付けられ、径方向に弾性変位する変位部を有するばね部材と、
を備え、
前記円筒部材の外周面には、
軸方向に沿って形成されて前記ケースの外側に位置する端部が開口され、且つ前記ばね部材の前記変位部が挿脱可能に挿入して移動する複数の案内溝と、
この複数の案内溝を除く位置に形成され、前記ばね部材の前記変位部が前記円筒部材の外端部よりも外側に位置した状態で、前記操作部材を軸方向の内側に移動させた際に、前記ばね部材の前記変位部が弾力的に乗り越え、且つ前記ばね部材の前記変位部が前記円筒部材の外端部よりも内側に位置する状態で、前記操作部材を前記軸方向の外側に移動させた際に、前記ばね部材の前記変位部が当接して前記ばね部材の移動を阻止する突起部と、
が設けられ、
前記ばね部材は、リング部を有し、このリング部に前記変位部が前記リング部の内周部から中心側に向けて斜めに傾斜した状態で弾性変形する板ばね状に設けられていることを特徴とするスイッチ装置。
【請求項７】
請求項１〜請求項６のいずれかに記載されたスイッチ装置を備えていることを特徴とする時計。
【発明の詳細な説明】
【技術分野】
【０００１】
この発明は、腕時計などの時計に用いられるスイッチ装置及び時計に関する。
【背景技術】
【０００２】
例えば、腕時計においては、特許文献１に記載されているように、腕時計ケースに竜頭などの操作部材が引き出し可能に設けられたスイッチ装置を備えたものが知られている。この種のスイッチ装置は、腕時計ケースから外部に突出した操作部材を引き出し、この状態で操作部材を回転させることにより、時刻を修正するように構成されている。
【先行技術文献】
【特許文献】
【０００３】
【特許文献１】特開２００６−１９４８３４号公報
【０００４】
このようなスイッチ装置は、腕時計ケースの貫通孔に巻真パイプが取り付けられ、この巻真パイプ内に操作部材の軸部が挿入され、この操作部材の軸部に巻真の外端部が取り付けられた構成になっている。この場合、操作部材には、複数の係合凸部を有するリング部材が取り付けられている。また、巻真パイプは、腕時計ケースの貫通孔に取り付けられる小径部と、腕時計ケースの外部に突出する大径部とを有し、この大径部の外周面にリング部材の係合凸部を係脱可能に係止する複数の係止溝部が設けられている。
【０００５】
この複数の係止溝部は、リング部材の係合凸部を巻真パイプの軸方向に移動させて係止溝部から離脱可能に案内する着脱用の案内溝と、リング部材の係合凸部における軸方向への移動を規制してロックするロック溝と、リング部材の係合凸部を案内溝とロック溝とのいずれか一方に導く連続溝とを備えている。
【０００６】
このため、このスイッチ装置では、リング部材の係合凸部を案内溝に挿入して押し込み、この状態で操作部材を回転させると、リング部材の係合凸部が案内溝から連続溝を経てロック溝に移動して、巻真パイプの軸方向への移動が規制され、これにより操作部材が押し込まれた状態でロックされる。また、このスイッチ装置では、操作部材を回転させてリング部材の係合凸部をロック溝から連続溝を経て案内溝に移動させると、操作部材のロックが解除され、リング部材の係合凸部が案内溝に沿って移動して案内溝から離脱することにより、操作部材が引き出される。
【発明の概要】
【発明が解決しようとする課題】
【０００７】
しかしながら、このようなスイッチ装置では、操作部材をロックする際に、操作部材を回転させてリング部材の係合凸部を巻真パイプの案内溝に対応させ、この状態で操作部材を押し込んだ後、再び回転させなければ、リング部材の係合凸部を巻真パイプのロック溝に配置させてロックすることができないため、操作部材をロックする際における操作部材の操作が煩雑で面倒であり、操作部材の操作性が悪いという問題がある。
【０００８】
この発明が解決しようとする課題は、ロック操作およびロック解除操作が容易にできるスイッチ装置及び時計を提供することである。
【課題を解決するための手段】
【０００９】
この発明は、貫通孔を有するケースと、このケースの前記貫通孔に取り付けられた円筒部材と、この円筒部材に挿入される軸部および外端部の操作部を有する操作部材と、この操作部材に取り付けられ、径方向に弾性変位する変位部を有するばね部材と、を備え、
前記円筒部材の外周面には、軸方向に沿って形成されて前記ケースの外側に位置する端部が開口され、且つ前記ばね部材の前記変位部が挿脱可能に挿入して移動する複数の案内溝と、この複数の案内溝を除く位置に形成され、前記ばね部材の前記変位部が前記円筒部材の外端部よりも外側に位置した状態で、前記操作部材を軸方向の内側に移動させた際に、前記ばね部材の前記変位部が弾力的に乗り越え、且つ前記ばね部材の前記変位部が前記円筒部材の外端部よりも内側に位置する状態で、前記操作部材を前記軸方向の外側に移動させた際に、前記ばね部材の前記変位部が当接して前記ばね部材の移動を阻止する突起部と、が設けられ、前記突起部は、その外側面が傾斜面に形成され、且つ内側面が軸方向と直交する垂直面に形成されていることを特徴とするスイッチ装置である。
【発明の効果】
【００１０】
この発明によれば、操作部材をロックする際に、操作部材の操作部に設けられたばね部材の変位部が円筒部材の外周面に設けられた突起部に対応していても、操作部材を押し込むと、ばね部材の変位部が弾力的に円筒部材の突起部を乗り越えた後に、ばね部材の変位部が円筒部材の突起部に係止され、ばね部材の移動を阻止することができるので、簡単に操作部材をロックすることができる。また、操作部材を回転させて、ばね部材の変位部を円筒部材の外周面に設けられた案内溝に対応させるだけで、簡単に操作部材のロックを解除することができる。これにより、ロック操作およびロック解除操作が容易にできる。
【図面の簡単な説明】
【００１１】
【図１】この発明を腕時計に適用した第１実施形態を示した斜視図である。
【図２】図１に示された腕時計のＡ−Ａ矢視における要部の拡大断面図である。
【図３】図２に示されたスイッチ装置の円筒部材を示し、（ａ）はその拡大正面図、（ｂ）はその拡大左側面図、（ｃ）はその拡大右側面図である。
【図４】図３に示された円筒部材を示し、（ａ）は図３（ｃ）のＢ−Ｂ矢視における拡大断面図、（ｂ）は図３（ａ）のＣ−Ｃ矢視における拡大断面図、（ｃ）は図３（ａ）のＤ−Ｄ矢視における拡大断面図である。
【図５】図２に示されたスイッチ装置の操作部材を示し、（ａ）はその拡大正面図、（ｂ）はその拡大左側面図である。
【図６】図５に示された操作部材の断面を示し、（ａ）は図５（ｂ）のＥ−Ｅ矢視における拡大断面図、（ｂ）は図５（ａ）のＦ−Ｆ矢視における拡大断面図である。
【図７】図２に示されたスイッチ装置のばね部材を示し、（ａ）はその拡大右側面図、（ｂ）はその拡大左側面図である。
【図８】図７に示されたばね部材を示し、（ａ）はその拡大側面図、（ｂ）は図７（ａ）のＧ−Ｇ矢視における拡大断面図、（ｃ）は図７（ａ）のＨ−Ｈ矢視における拡大断面図である。
【図９】図２に示されたスイッチ装置において、操作部材を回転させてばね部材の変位部を円筒部材の案内溝に対応させた状態を示した要部の拡大断面図である。
【図１０】図９に示されたスイッチ装置において、操作部材がコイルばねのばね力によって押し出された状態を示した要部の拡大断面図である。
【図１１】図１０に示されたスイッチ装置において、操作部材を回転させて押し込む際に、ばね部材の変位部が円筒部材の突起部に外側から接近して接触した状態を示した要部の拡大断面図である。
【図１２】図１１に示されたスイッチ装置において、操作部材が更に押し込まれて、ばね部材の変位部が径方向に押し広げられるように弾性変位して円筒部材の突起部を乗り越える状態を示した要部の拡大断面図である。
【図１３】この発明を腕時計のスイッチ装置に適用した第２実施形態を示した要部の拡大断面図である。
【図１４】図１３に示されたスイッチ装置の円筒部材を示し、（ａ）はその拡大正面図、（ｂ）はその拡大右側面図である。
【図１５】図１３に示されたスイッチ装置のばね部材を示し、（ａ）はその拡大正面図、（ｂ）はその拡大側面図、（ｃ）は（ａ）のＩ−Ｉ矢視における拡大断面図である。
【図１６】図１３に示されたスイッチ装置の操作部材を示し、（ａ）はその拡大左側面図、（ｂ）はそのＪ−Ｊ矢視における拡大断面図である。
【図１７】図１３に示されたスイッチ装置の押え板を示し、（ａ）はその拡大側面図、（ｂ）はそのＫ−Ｋ矢視における拡大断面図である。
【図１８】図１３に示されたスイッチ装置において、操作部材を回転させてばね部材の変位部を円筒部材の案内溝に対応させた状態を示した要部の拡大断面図である。
【図１９】図１８に示されたスイッチ装置において、操作部材がコイルばねのばね力によって押し出された状態を示した要部の拡大断面図である。
【図２０】図１９に示されたスイッチ装置において、操作部材を回転させて押し込む際に、ばね部材の変位部が弾性変形して円筒部材の突起部を乗り越える状態を示した要部の拡大断面図である。
【発明を実施するための形態】
【００１２】
（第１実施形態）
以下、図１〜図１２を参照して、この発明を腕時計に適用した第１実施形態について説明する。
この腕時計は、図１および図２に示すように、腕時計ケース１を備えている。この腕時計ケース１の上側開口部には、時計ガラス２が取り付けられており、この腕時計ケース１の下部には、裏蓋３が取り付けられている。
【００１３】
また、この腕時計ケース１の内部には、図２に示すように、時計モジュール４が設けられている。さらに、この腕時計ケース１の３時に位置する側部には、図１および図２に示すように、スイッチ装置５が設けられている。このスイッチ装置５は、時計モジュール４のモード切替や時刻修正などを行うためのものであり、巻真６と、円筒部材７と、操作部材８と、ばね部材９とを備えている。
【００１４】
この場合、腕時計ケース１の３時に位置する側部には、図２に示すように、腕時計ケース１の内部と外部とに貫通する貫通孔１０が設けられている。この貫通孔１０は、腕時計ケース１の内部側に位置する四角形状の小径孔部１０ａと、腕時計ケース１の外部側に位置する円形状の大径孔部１０ｂとを有する段差状に形成されている。この貫通孔１０内には、スイッチ装置５の円筒部材７が嵌め込まれている。
【００１５】
この円筒部材７は、図２〜図４に示すように、貫通孔１０の小径孔部１０ａ内に装着して腕時計ケース１の内部に突出する小径筒部７ａと、貫通孔１０の大径孔部１０ｂ内に装着して腕時計ケース１の外部に突出する大径筒部７ｂとを備えている。この円筒部材７の小径筒部７ａは、図３（ｂ）および図４（ｂ）に示すように、貫通孔１０の小径孔部１０ａ内に配置される箇所がほぼ四角形の角筒状に形成されている。
【００１６】
これにより、円筒部材７は、図２に示すように、小径筒部７ａが貫通孔１０の小径孔部１０ａに装着されることにより、腕時計ケース１に対して回転することなく取り付けられている。また、この小径筒部７ａは、図３（ａ）および図３（ｂ）に示すように、腕時計ケース１の内部に突出する箇所が円筒状に形成されている。この小径筒部７ａの円筒状の箇所には、Ｅリングなどの抜止めリング１１が取り付けられるリング取付溝１２が設けられている。これにより、円筒部材７は、図２に示すように、腕時計ケース１の外部に抜け出すことなく取り付けられている。
【００１７】
また、この円筒部材７の大径筒部７ｂにおける貫通孔１０内に位置する箇所の外周面には、図２〜図４に示すように、防水パッキン１３がそれぞれ取り付けられる複数のパッキン溝１４が設けられている。この大径筒部７ｂにおける腕時計ケース１から外部に突出した箇所の外周面には、腕時計ケース１の外側面に当接する鍔部１５が設けられている。これにより、円筒部材７は、大径筒部７ｂの鍔部１５が腕時計ケース１の外面に当接し、小径筒部７ａの抜止めリング１１が腕時計ケース１の内面に当接することにより、腕時計ケース１に対する出没方向の動きが規制されている。
【００１８】
さらに、大径筒部７ｂにおける鍔部１５よりも腕時計ケース１の外部側に位置する外周面には、図３および図４に示すように、一対の案内溝１６が軸方向に沿って設けられており、この大径筒部７ｂの外周面における腕時計ケース１の外部側に位置する外端部には、案内溝１６が位置する箇所を除いて、抜止め用の突起部１７が環状に沿って間欠的に設けられている。
【００１９】
この場合、一対の案内溝１６は、図３および図４に示すように、腕時計ケース１から外部に突出した大径筒部７ｂの外周面における上下に位置する箇所に、鍔部１５から外端部（図３（ａ）では右端部）に亘って開口された状態で形成されている。また、抜止め用の突起部１７は、図２〜図４に示すように、腕時計ケース１の外側に位置する外側面（図４（ａ）では右側面）が傾斜面１７ａに形成されていると共に、腕時計ケース１の内側に位置する内側面（図４（ａ）では左側面）が軸方向に対して直交する垂直面１７ｂに形成されている。
【００２０】
また、この円筒部材７の内部には、図２〜図４に示すように、小径筒部７ａに設けられた小径孔部１８と、大径筒部７ｂに設けられた大径孔部１９とが設けられている。この場合、小径孔部１８は、巻真６が挿入する部分であり、大径孔部１９は、後述する操作部材８の操作軸部２２が挿入する部分である。この大径孔部１９の内周面には、防水パッキン１３がそれぞれ取り付けられる複数のパッキン溝２０が設けられている。
【００２１】
操作部材８は、図２、図５、図６に示すように、大径の円筒状に形成された操作頭部２１と小径の円筒状に形成された操作軸部２２とを備えている。操作頭部２１は、その内部が中空状に形成されている。すなわち、この操作頭部２１の内部は、その内径が円筒部材７の鍔部１５の外径よりも大きく形成されていると共に、軸方向における内部の長さ（深さ）が円筒部材７の大径筒部７ｂにおける腕時計ケース１から外部に突出した部分の長さ、つまり鍔部１５から外端部までの長さよりも少し長く形成されている。
【００２２】
また、この操作頭部２１における腕時計ケース１の外部側に位置する外端部には、図２および図６（ａ）に示すように、頭壁部２３が設けられている。この頭壁部２３の内面における中心部には、操作軸部２２が腕時計ケース１側に向けて突出して設けられている。この操作軸部２２は、図２に示すように、円筒部材７の大径筒部７ｂに設けられた大径孔部１９内に挿入する部分であり、円筒部材７の大径筒部７ｂの大径孔部１９とほぼ同じ長さで形成されている。
【００２３】
これにより、操作軸部２２は、図２に示すように、円筒部材７の大径筒部７ｂが腕時計ケース１の貫通孔１０内に挿入された部分の長さだけ、円筒状の操作頭部２１から腕時計ケース１側に向けて突出するように形成されている。この操作軸部２２の内部には、図６（ａ）および図６（ｂ）に示すように、操作頭部２１から突出す箇所に設けられた断面四角形状の角孔部２２ａと、この角孔部２２ａよりも操作頭部２１側に設けられて角孔部２２ａに連続し、且つこの角孔部２２ａの内面に内接する断面円形状の円形孔部２２ｂとが軸方向に沿って設けられている。
【００２４】
この場合、操作軸部２２の角孔部２２ａにおける腕時計ケース１の内部側に位置する端部の内周面には、図２および図６（ａ）に示すように、リング取付溝２４が設けられている。このリング取付溝２４には、ガイドリング２５が取り付けられている。このガイドリング２５は、円板の中心に角孔部２２ａよりも少し小さい角孔を設けたものであり、この角孔の内端が角孔部２２ａ内に少し突出するように形成されている。
【００２５】
この操作軸部２２には、図２に示すように、巻真６の外側に位置する端部が取り付けられている。すなわち、巻真６は、円筒部材７の小径孔部１８を通過した先端部に設けられて操作軸部２２の角孔部２２ａ内、つまりガイドリング２５の角孔内に移動可能に挿入する角棒状の連動軸部６ａと、この連動軸部６ａの先端に設けられて操作軸部２２の円形孔部２２ｂ内に移動可能に挿入するガイド軸部６ｂとを備えている。
【００２６】
この場合、巻真６の連動軸部６ａにおける先端側に位置する端部の外周面には、図２に示すように、ストッパ部６ｃが径方向に突出して設けられている。このストッパ部６ｃは、図１０に示すように、角孔部２２ａ内に突出したガイドリング２５の角孔の内縁部が当接することにより、操作部材８が腕時計ケース１の外部側に抜け出さないように構成されている。
【００２７】
また、巻真６のガイド軸部６ｂは、図２に示すように、円形孔部２２ｂの内径よりも十分に細く形成されている。このガイド軸部６ｂの外周面と円形孔部２２ｂの内周面との間には、コイルばね２６が配置されている。このコイルばね２６は、図２に示すように、一端部が巻真６の連動軸部６ａの端面に弾接し、他端部が操作軸部２２の円形孔部２２ｂの奥部（図２では右端部）に弾接し、この状態で操作軸部２２を円筒部材７内から押し出す方向に向けて付勢するように構成されている。
【００２８】
これにより、操作部材８は、コイルばね２６のばね力に抗して操作頭部２１を押し込むと、コイルばね２６が圧縮されて巻真６の連動軸部６ａが操作軸部２２の角孔部２２ａ内に相対的に押し込まれると共に、巻真６のガイド軸部６ｂが操作軸部２２の円形孔部２２ｂ内に相対的に押し込まれ、操作頭部２１が腕時計ケース１に接近し、この状態で操作頭部２１から外力を取り除くと、コイルばね２６のばね力によって操作軸部２２が押し出されて操作頭部２１が腕時計ケース１から離れるように構成されている。
【００２９】
また、この操作部材８は、図２および図１０に示すように、操作頭部２１が押し込まれた状態においても、また操作頭部２１が押し出された状態においても、操作頭部２１を回転させると、これと共に操作軸部２２が回転し、この回転が操作軸部２２の角孔部２２ａに挿入された巻真６の連動軸部６ａに伝達され、この連動軸部６ａによって巻真６が連動して回転するように構成されている。
【００３０】
一方、操作部材８の操作頭部２１内には、図２に示すように、ばね部材９が配置されている。このばね部材９は、図７および図８に示すように、全体がほぼリング状に形成された合成樹脂製のリング部２７を備えている。このリング部２７は、図７（ａ）および図７（ｂ）に示すように、左右方向の両側部における径方向の肉幅およびこれと直交する方向の肉厚（高さ）が、上下方向の両側部における径方向の肉幅およびこれと直交する方向の肉厚よりも小さく形成され、図２に示すように、操作部材８の操作頭部２１内に配置されるように構成されている。
【００３１】
すなわち、このリング部２７は、図２に示すように、その内径が円筒部材７における抜止め用の突起部１７の外径よりも少し大きく形成されている。また、このリング部２７の内周面における左右の両側には、図７（ａ）および図７（ｂ）に示すように、一対の変位部２８が互いに対向した状態で内側に向けて突出して設けられている。この一対の変位部２８は、図２に示すように、その円周方向の長さ（幅）が円筒部材７の案内溝１６における円周方向の長さ（幅）よりも少し小さく形成されている。
【００３２】
また、この一対の変位部２８は、図２に示すように、互いに対向する先端面間の長さが、円筒部材７の大径筒部７ｂにおける外周面の直径と同じか、それよりも少し小さく形成されている。さらに、この一対の変位部２８における各先端下部には、図２および図８（ｂ）に示すように、円筒部材７の抜止め用の突起部１７における傾斜面１７ａに対面する面取り部２８ａが設けられている。この面取り部２８ａは、突起部１７の傾斜面１７ａと同じ角度で傾斜する傾斜面に形成されている。
【００３３】
これにより、一対の変位部２８は、図１１および図１２に示すように、その先端の面取り部２８ａが抜止め用の突起部１７の傾斜面１７ａに沿って乗り越えるように移動する際に、リング部２７の左右方向に位置する両側部を径方向に押し広げる方向に弾性変形させるように構成されている。また、このリング部２７の外周面における左右方向の両側部と上下方向の両側部との境界部分には、図７および図８に示すように、半円形状の回転規制部２９がそれぞれ外側に突出して設けられている。
【００３４】
すなわち、操作頭部２１の内部には、図２に示すように、リング部２７が操作頭部２１の開口側から軸方向に沿って挿入することにより、リング部２７を収納するリング収納部３１と、回転規制部２９が操作頭部２１の開口側から軸方向に沿って挿入する複数の位置規制溝３０とが設けられている。この複数の回転規制部２９は、ばね部材９のリング部２７を操作部材８の操作頭部２１内に挿入した際に、図５（ｂ）および図６（ａ）に示すように、操作頭部２１内に設けられた複数の位置規制溝３０に係合して回転方向の位置が規制されるように構成されている。
【００３５】
この場合、リング収納部３１は、図２および図６（ａ）に示すように、その内径がリング部２７の外径よりも大きい円形状、つまり複数の回転規制部２９の最外周とほぼ同じ大きさの円形状に形成されている。これにより、リング収納部３１は、図２に示しように、リング部２７を収納した状態で、リング部２７を径方向に広げる方向に弾性変形させるために、リング部２７の外周面とリング収納部３１の内周面との間に隙間をもって配置されるように構成されている。
【００３６】
このため、このばね部材９は、図２に示すように、リング部２７が操作頭部２１内のリング収納部３１内に配置され、且つ複数の回転規制部２９が操作頭部２１内の複数の位置規制溝３０内に配置され、この状態でリング部２７の変位部２８が円筒部材７の抜止め用の突起部１７の内側に位置する垂直面１７ｂに当接した際に、コイルばね２６を操作部材８と巻真６とで圧縮させて、操作部材８の操作頭部２１を腕時計ケース１の外面に接近させた状態でロックするように構成されている。
【００３７】
また、このばね部材９は、図９に示すように、操作部材８の操作頭部２１を回転させると、これに伴ってリング部２７が回転し、リング部２７の一対の変位部２８が円筒部材７の案内溝１６に対応すると、操作部材８のロックが解除され、図１０に示すように、コイルばね２６のばね力によって操作部材８の操作軸部２２が押し出され、リング部２７の一対の変位部２８が案内溝１６に沿って移動して円筒部材７の抜止め用の突起部１７の外側に移動するように構成されている。
【００３８】
また、このばね部材９は、図１０に示す状態で、操作部材８の操作頭部２１が回転されてリング部２７の一対の変位部２８が案内溝１６から円周方向にずれ、この状態で操作頭部２１がコイルばね２６のばね力に抗して押し込まれると、図１１に示すように、リング部２７の一対の変位部２８が円筒部材７の抜止め用の突起部１７に接近して、変位部２８の面取り部２８ａが突起部１７の傾斜面１７ａに対面するように構成されている。
【００３９】
さらに、このばね部材９は、図１１に示すように、変位部２８の面取り部２８ａが突起部１７の傾斜面１７ａに対面し、この状態で操作頭部２１がコイルばね２６のばね力に抗して更に押し込まれると、変位部２８の面取り部２８ａが突起部１７の傾斜面１７ａに沿って移動し、図１２に示すように、変位部２８が突起部１７を乗り越えるときに、変位部２８によってリング部２７が押し広げられる方向に弾性変形するように構成されている。
【００４０】
ところで、操作部材８に連結された巻真６は、図２に示すように、腕時計ケース１内に設けられた時計モジュール４内に延出されて配置されている。この巻真６は、図２に示すように、操作部材８の操作頭部２１が押し込まれて、ばね部材９の変位部２８が円筒部材７の抜け止め用の突起部１７に当接して、操作部材８がロックされた状態、およびこのロック状態が解除されて、図１０に示すように、操作部材８の操作頭部２１がコイルばね２６のばね力によって押し出された状態のときに、時計モジュール４のスイッチが動作しないように構成されている。
【００４１】
また、この巻真６は、図１０に示す状態で、操作部材８の操作頭部２１が更に引き出されると、図示しないが、操作頭部２１の引き出し操作に伴って引き出される方向に移動し、これにより通常の時計モードを時刻修正モードに切り替え、この状態で操作頭部２１を回転させると、その回転に伴って回転し、この回転に応じて時刻修正を行うように構成されている。
【００４２】
次に、このような腕時計のスイッチ装置５の作用について説明する。
このスイッチ装置５を使用する場合には、図２に示す状態で、操作部材８の操作頭部２１を回転させると、これに伴ってばね部材９のリング部２７が回転する。すなわち、ばね部材９は、そのリング部２７が操作頭部２１内のリング収納部３１に収納され、回転規制部２９が操作頭部２１内の位置規制溝３０内に挿入されているので、操作頭部２１を回転させると、これに伴ってばね部材９のリング部２７が回転する。
【００４３】
このばね部材９のリング部２７が操作頭部２１と共に回転して、図９に示すように、リング部２７に設けられた一対の変位部２８が円筒部材７の大径筒部７ｂの外周面に設けられた一対の案内溝１６にそれぞれ対応すると、図１０に示すように、操作部材８のロックが解除され、コイルばね２６のばね力によって操作部材８の操作軸部２２が腕時計ケース１の外側に向けて押し出される。これにより、リング部２７の一対の変位部２８が一対の案内溝１６に沿って移動して円筒部材７の抜止め用の突起部１７の外側に移動する。
【００４４】
このときには、巻真６は軸方向に移動しない。また、この状態で操作頭部２１を回転させて巻真６を回転させても、時計モジュール４のスイッチは動作しない。そして、操作頭部２１を更に引き出すと、巻真６が引き出される。このときには、巻真６の引き出し動作によって、時計モジュール４のスイッチが動作し、時計モードが通常の時計モードから時刻修正モードに切り替わる。この状態で、操作頭部２１を回転させると、その回転に伴って巻真６が回転し、この回転に応じて時刻修正が行われる。
【００４５】
一方、このスイッチ装置５を使用しない場合には、図１１に示すように、操作部材８の操作頭部２１をコイルばね２６のばね力に抗して押し込んで腕時計ケース１の外面に接近させる。すると、操作頭部２１内のリング収納部３１内に配置されたばね部材９のリング部２７における一対の変位部２８が円筒部材７の大径筒部７ｂの外周面に設けられた抜止め用の突起部１７に接近する。
【００４６】
このときには、リング部２７の変位部２８の面取り部２８ａが円筒部材７の抜止め用の突起部１７の傾斜面１７ａに対面する。この状態で、図１２に示すように、操作頭部２１がコイルばね２６のばね力に抗して更に押し込まれると、変位部２８の面取り部２８ａが突起部１７の傾斜面１７ａに沿って移動する。すると、変位部２８がリング部２７を押し広げるように弾性変形させながら、変位部２８が突起部１７を乗り越える。
【００４７】
このように、リング部２７の変位部２８が円筒部材７の突起部１７を乗り越えると、図２に示すように、リング部２７の変位部２８が円筒部材７の大径筒部７ｂの外周面に位置する。この状態で、操作頭部２１の押し込み操作を解除すると、操作部材８がコイルばね２６のばね力によって押し出されるように付勢されるので、リング部２７の変位部２８が円筒部材７の突起部１７における内面である垂直面１７ｂに当接する。これにより、操作部材８が押し込まれた状態でロックされる。
【００４８】
また、操作部材８を押し込んでロックする際に、図９に示すように、ばね部材９のリング部２７における変位部２８が円筒部材７の大径筒部７ｂの外周面に設けられた案内溝１６に対応している場合には、操作頭部２１がコイルばね２６のばね力に抗して更に押し込まれると、ばね部材９の変位部２８が円筒部材７の案内溝１６にガイドされて腕時計ケース１の側面に接近する。このときには、ばね部材９の変位部２８が円筒部材７の突起部１７に対面していないので、操作部材８が突起部１７によってロックされない。
【００４９】
このため、この状態で、操作部材８を回転させてばね部材９の変位部２８を案内溝１６から離脱させると、ばね部材９の変位部２８が円筒部材７の突起部１７に対面する。これにより、図２に示すように、ばね部材９の変位部２８が円筒部材７の突起部１７における内面である垂直面１７ｂに当接し、これにより操作部材８が押し込まれた状態でロックされる。
【００５０】
このように、このスイッチ装置５によれば、腕時計ケース１の貫通孔１０に取り付けられた円筒部材７と、この円筒部材７に挿入される操作軸部２２および外端部の操作頭部２１を有する操作部材８と、この操作部材８に取り付けられ、径方向に弾性変位する変位部２８を有するばね部材９とを備え、円筒部材７の外周面には、軸方向に沿って形成された案内溝１６と、この案内溝１６を除く位置に形成された突起部１７と、が設けられているので、ばね部材９の変位部２８が円筒部材７の外端部よりも外側に位置した状態で、操作部材８を軸方向の内側に移動させた際に、ばね部材９の変位部２８が弾力的に乗り越えた後に、ばね部材９の変位部２８が突起部１７に当接して、ばね部材９の移動を阻止することができ、これによりロック操作が容易にできる。
【００５１】
すなわち、この腕時計のスイッチ装置５では、操作部材８を押し込んでロックする際に、操作部材８の操作頭部２１に設けられたばね部材９の変位部２８が円筒部材７の外周面に設けられた突起部１７に対応していても、操作部材８を押し込むと、ばね部材９の変位部２８が円筒部材７の突起部１７を弾力的に乗り越えた後に、ばね部材９の変位部２８が円筒部材７の突起部１７に係止されるので、ばね部材９の移動を確実に阻止することができ、これにより簡単に操作部材８をロックすることができる。
【００５２】
このとき、ばね部材９の変位部２８が円筒部材７の案内溝１６に対応している場合には、操作頭部２１を押し込んでばね部材９の変位部２８を円筒部材７の案内溝１６に沿って移動させた後に、操作部材８を回転させてばね部材９の変位部２８を円筒部材７の案内溝１６から離脱させるだけで、ばね部材９の変位部２８を円筒部材７の突起部１７に当接させて、ばね部材９の移動を確実に阻止することができ、これにより簡単に操作部材８をロックすることができる。
【００５３】
このため、操作部材８を押し込んでロックする際に、ばね部材９の変位部２８が円筒部材７の突起部１７に対応していても、また円筒部材７の突起部１７に対応していなくても、ばね部材９の変位部２８を円筒部材７の突起部１７に容易に係止させることができるので、簡単に操作部材８をロックすることができる。また、ロックされた状態の操作部材８を回転させて、ばね部材９の変位部２８を円筒部材７の外周面に設けられた案内溝１６に対応させるだけで、簡単に操作部材８のロックを解除することができる。これにより、ロック操作およびロック解除操作が容易にできる。
【００５４】
この場合、ばね部材９は、径方向に弾性変位可能なリング部２７を有し、このリング部２７の内周部に変位部２８がリング部２７の中心側に向けて突出する突起状に設けられた構成であるから、ばね部材９の変位部２８が円筒部材７の突起部１７に対応している状態で、操作部材８を押し込んでばね部材９の変位部２８を円筒部材７の突起部１７に当接させると、円筒部材７の突起部１７によってばね部材９の変位部２８が径方向に押されるので、リング部２７が押し広げられるように弾性変形し、これによりばね部材９の変位部２８が弾力的に円筒部材７の突起部１７を乗り越えることができる。
【００５５】
また、円筒部材７の外周面に設けられた抜け止め用の突起部１７は、その外側面が傾斜面１７ａに形成され、且つ内側面が軸方向と直交する垂直面１７ｂに形成されているので、操作部材８が押し込まれてばね部材９の変位部２８が円筒部材７の突起部１７に当接する際に、ばね部材９の変位部２８が突起部１７の傾斜面１７ａに沿って移動するので、リング部２７を確実に且つ良好に押し広げるように弾性変形させることができ、これによりばね部材９の変位部２８が弾力的に円筒部材７の突起部１７を円滑に乗り越えることができる。
【００５６】
この場合、ばね部材９の変位部２８には、面取り部２８ａが設けられているので、操作部材８が押し込まれてばね部材９の変位部２８が円筒部材７の突起部１７に当接する際に、変位部２８の面取り部２８ａが突起部１７の傾斜面１７ａに対面し、この状態で変位部２８の面取り部２８ａを突起部１７の傾斜面１７ａに沿って移動させることができ、これによりリング部２７を円滑に且つ良好に押し広げるように弾性変形させることができるので、ばね部材９の変位部２８が円筒部材７の突起部１７を、より一層、円滑に乗り越えることができる。
【００５７】
また、ばね部材９の変位部２８が円筒部材７の突起部１７を弾力的に乗り越えた後に、コイルばね２６のばね力によって操作部材８が押し出されて、ばね部材９の変位部２８が円筒部材７の突起部１７に当接する際には、ばね部材９の変位部２８が円筒部材７の突起部１７の垂直面１７ｂに当接するので、リング部２７が押し広げるように弾性変形することがなく、ばね部材９の変位部２８を円筒部材７の突起部１７で確実に係止することができ、これによりばね部材９の移動を阻止することができる。
【００５８】
（第２実施形態）
次に、図１３〜図２０を参照して、この発明を適用した腕時計の第２実施形態について説明する。なお、図１〜図１２に示された第１実施形態と同一部分には同一符号を付して説明する。
この腕時計のスイッチ装置４０は、図１３に示すように、操作部材８の操作頭部２１内に設けられたばね部材４１が第１実施形態と異なる構成であり、これ以外は第１実施形態とほぼ同じ構成になっている。
【００５９】
この場合、円筒部材７は、図１４（ａ）および図１４（ｂ）に示すように、その大径筒部７ｂの外周面に４つの案内溝１６が第１実施形態と同様に形成されている。この大径筒部７ｂの外周面における外側端部には、４つの案内溝１６を除いて、抜け止め用の突起部１７が設けられている。この突起部１７も、第１実施形態と同様に、腕時計ケース１の外側に位置する外側面が傾斜面１７ａに形成されていると共に、腕時計ケース１の内側に位置する内側面が軸方向に対して直交する垂直面１７ｂに形成されている。
【００６０】
一方、ばね部材４１は、図１５（ａ）〜図１５（ｃ）に示すように、ステンレスなどの金属板からなるリング部４２を備えている。このリング部４２は、その内径が円筒部材７における抜止め用の突起部１７の外径よりも少し大きく形成されている。また、このリング部４２の内周面における左右の両側には、一対の変位部４３が互いに対向して設けられている。この一対の変位部４３は、図１３に示すように、腕時計ケース１の外側（図１５（ｂ）では斜め下側）に向けて板ばね状に折り曲げられている。
【００６１】
この場合、一対の変位部４３は、図１３および図１５に示すように、リング部４２の内側に向けて斜めに傾斜して折り曲げられ、この折り曲げられた先端部が径方向に弾性変位（つまり撓み変形）するように構成されている。また、この一対の変位部４３は、図１３に示すように、その円周方向の長さ（幅）が円筒部材７の案内溝１６における円周方向の長さ（幅）よりも少し小さく形成されている。さらに、この一対の変位部４３は、互いに対向する先端面間の長さが、自然状態において円筒部材７の大径筒部７ｂにおける外周面の直径と同じか、それよりも少し小さく形成されている。
【００６２】
このばね部材４１は、図１３に示すように、操作部材８の操作頭部２１内に押え板４４によって取り付けられている。すなわち、操作頭部２１内には、図１６（ａ）および図１６（ｂ）に示すように、ばね部材４１のリング部４２および押え板４４が配置される装着溝４５が設けられていると共に、この装着溝４５から奥側（図１６（ｂ）では右側）に向けて一対の変位部４３がそれぞれ挿入する一対の回転規制溝４６が設けられている。
【００６３】
この場合、押え板４４は、図１３および図１７に示すように、その外径がばね部材４１のリング部４２の外径よりも少し大きく形成され、内径がリング部４２の外径よりも少し小さく形成されている。また、この押え板４４の内周面には、ばね部材４１のリング部４２を押え付けるための一対の押え片４４ａが設けられている。
【００６４】
これにより、ばね部材４１は、図１３に示すように、一対の変位部４３が操作頭部２１内の回転規制溝４６内に挿入されて、リング部４２が操作頭部２１の装着溝４５内に配置され、この状態で押え板４４が装着溝４５に嵌め込まれることにより、操作頭部２１内に取り付けられて操作頭部２１と共に回転するように構成されている。
【００６５】
次に、このような第２実施形態のスイッチ装置４０の作用について説明する。
このスイッチ装置４０を使用する場合には、図１３に示す状態で、操作部材８の操作頭部２１を回転させると、これに伴ってばね部材４１のリング部４２が回転する。すなわち、ばね部材４１は、そのリング部４２が操作頭部２１内の装着溝４５に配置された状態で、一対の変位部４３が操作頭部２１内の回転規制溝４６内に挿入されているので、操作頭部２１を回転させると、これに伴ってばね部材４１が回転する。
【００６６】
このばね部材４１のリング部４２が操作頭部２１と共に回転して、図１８に示すように、リング部４２に設けられた一対の変位部４３が円筒部材７の大径筒部７ｂの外周面に設けられた４つの案内溝１６のいずれか２つに対応すると、図１９に示すように、操作部材８のロックが解除され、コイルばね２６のばね力によって操作部材８の操作軸部２２が押し出される。これにより、リング部４２の一対の変位部４３が２つの案内溝１６に沿って移動して円筒部材７の抜止め用の突起部１７の外側に移動する。
【００６７】
このときには、巻真６は軸方向に移動しない。また、この状態で操作頭部２１を回転させて巻真６を回転させても、時計モジュール４のスイッチは動作しない。そして、操作頭部２１を更に引き出すと、第１実施形態と同様、巻真６が引き出される。このときには、巻真６の引き出し動作によって、時計モジュール４のスイッチが動作し、時計モードが通常の時計モードから時刻修正モードに切り替わる。この状態で、操作頭部２１を回転させると、その回転に伴って巻真６が回転し、この回転に応じて時刻修正が行われる。
【００６８】
一方、このスイッチ装置４０を使用しない場合には、図２０に示すように、操作部材８の操作頭部２１をコイルばね２６のばね力に抗して押し込んで腕時計ケース１の外面に接近させる。すると、操作頭部２１内の回転規制溝４６内に配置されたばね部材４１の一対の変位部４３が円筒部材７の大径筒部７ｂの外周面に設けられた抜止め用の突起部１７に接近して乗り上げる。
【００６９】
このときには、リング部４２の変位部４３が円筒部材７の抜止め用の突起部１７の傾斜面１７ａに対面し、この状態で図２０に示すように、操作頭部２１がコイルばね２６のばね力に抗して更に押し込まれると、変位部４３が突起部１７の傾斜面１７ａに沿って移動する。すると、変位部４３が押し広げられように撓み変形しながら突起部１７を乗り越える。
【００７０】
このように、ばね部材４１の変位部４３が円筒部材７の突起部１７を乗り越えると、図１３に示すように、変位部４３が円筒部材７の大径筒部７ｂの外周面に位置する。この状態で、操作頭部２１の押し込み操作を解除すると、操作部材８がコイルばね２６のばね力によって押し出されるように付勢されるので、ばね部材４１の変位部４３が円筒部材７の突起部１７における内面である垂直面１７ｂに当接し、これにより操作部材８が押し込まれた状態でロックされる。
【００７１】
また、操作部材８を押し込んでロックする際に、図１９に示すように、ばね部材４１のリング部４２における変位部４３が円筒部材７の大径筒部７ｂの外周面に設けられた案内溝１６に対応している場合には、操作頭部２１がコイルばね２６のばね力に抗して更に押し込まれると、ばね部材４１の変位部４３が円筒部材７の案内溝１６にガイドされて腕時計ケース１の側面に接近する。このときには、ばね部材４１の変位部４３が円筒部材７の突起部１７に対面していないので、操作部材８が突起部１７によってロックされない。
【００７２】
このため、この状態で、操作部材８を回転させてばね部材４１の変位部４３を案内溝１６から離脱させると、ばね部材４１の変位部４３が円筒部材７の突起部１７に対面する。これにより、図１３に示すように、ばね部材４１の変位部４３が円筒部材７の突起部１７における内面である垂直面１７ｂに当接し、これにより操作部材８が押し込まれた状態でロックされる。
【００７３】
このように、この腕時計のスイッチ装置４０によれば、操作部材８を押し込んでロックする際に、操作部材８の操作頭部２１に設けられたばね部材４１の変位部４３が円筒部材７の外周面に設けられた突起部１７に対応していても、操作部材８を押し込むと、ばね部材４１の変位部４３が弾力的に円筒部材７の突起部１７を乗り越えて円筒部材７の突起部１７に係止されるので、ばね部材４１の移動を確実に阻止することができ、これにより簡単に操作部材８をロックすることができる。
【００７４】
また、ばね部材４１の変位部４３が円筒部材７の案内溝１６に対応している場合には、操作頭部２１を押し込んでばね部材４１の変位部４３を円筒部材７の案内溝１６に沿って移動させた後に、操作部材８を回転させてばね部材４１の変位部４３を円筒部材７の案内溝１６から離脱させるだけで、ばね部材４１の変位部４３を円筒部材７の突起部１７に当接させて、ばね部材４１の移動を阻止することができ、これにより簡単に操作部材８をロックすることができる。
【００７５】
このように、操作部材８を押し込んでロックする際に、ばね部材４１の変位部４３が円筒部材７の突起部１７に対応していても、また円筒部材７の案内溝１６に対応していても、ばね部材４１の変位部４３を円筒部材７の突起部１７に容易に係止させることができるので、簡単に操作部材８をロックすることができる。また、ロックされた状態の操作部材８を回転させて、ばね部材４１の変位部４３を円筒部材７の外周面に設けられた案内溝１６に対応させるだけで、簡単に操作部材８のロックを解除することができる。これにより、ロック操作およびロック解除操作が容易にできる。
【００７６】
この場合、ばね部材４１は、リング部４２を有し、このリング部４２の内周部に変位部４３がリング部４２の中心側に向けて斜め傾斜した状態で弾性変形する板ばね状に設けられた構成であるから、ばね部材４１の変位部４３が円筒部材７の突起部１７に対応している状態で、操作部材８を押し込んでばね部材４１の変位部４３を円筒部材７の突起部１７に当接させると、円筒部材７の突起部１７によってばね部材４１の変位部４３が径方向に押し広げられるので、変位部４３が押し広げられるように弾性変形し、これによりばね部材４１の変位部４３が弾力的に円筒部材７の突起部１７を乗り越えることができる。
【００７７】
また、円筒部材７の外周面に設けられた抜け止め用の突起部１７は、その外側面が傾斜面１７ａに形成され、且つ内側面が軸方向と直交する垂直面１７ｂに形成されているので、操作部材８が押し込まれてばね部材４１の変位部４３が円筒部材７の突起部１７に当接する際に、ばね部材４１の変位部４３が突起部１７の傾斜面１７ａに沿って移動するので、変位部４３を確実に且つ良好に押し広げるように撓み変形させることができ、これによりばね部材４１の変位部４３が弾力的に円筒部材７の突起部１７を円滑に乗り越えることができる。
【００７８】
また、ばね部材４１の変位部４３が円筒部材７の突起部１７を弾力的に乗り越えた後に、コイルばね２６のばね力によって操作部材８が押し出されて、ばね部材４１の変位部４３が円筒部材７の突起部１７に当接する際には、ばね部材４１の変位部４３の先端が円筒部材７の突起部１７の垂直面１７ｂに当接するので、変位部４３が弾性変形することがなく、ばね部材４１の変位部４３を円筒部材７の突起部１７で確実に係止することができ、これによりばね部材４１の移動を阻止することができる。
【００７９】
なお、上述した第１、第２の実施形態では、腕時計に適用した場合について述べたが、必ずしも腕時計である必要はなく、例えばトラベルウオッチ、目覚まし時計、置き時計、掛け時計などの各種の時計に適用することができる。
【００８０】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８１】
（付記）
請求項１に記載の発明は、貫通孔を有するケースと、このケースの前記貫通孔に取り付けられた円筒部材と、この円筒部材に挿入される軸部および外端部の操作部を有する操作部材と、この操作部材に取り付けられ、径方向に弾性変位する変位部を有するばね部材と、を備え、
前記円筒部材の外周面には、
軸方向に沿って形成されて前記ケースの外側に位置する端部が開口され、且つ前記ばね部材の前記変位部が挿脱可能に挿入して移動する複数の案内溝と、
この複数の案内溝を除く位置に形成され、前記ばね部材の前記変位部が前記円筒部材の外端部よりも外側に位置した状態で、前記操作部材を軸方向の内側に移動させた際に、前記ばね部材の前記変位部が弾力的に乗り越え、且つ前記ばね部材の前記変位部が前記円筒部材の外端部よりも内側に位置する状態で、前記操作部材を前記軸方向の外側に移動させた際に、前記ばね部材の前記変位部が当接して前記ばね部材の移動を阻止する突起部と、
が設けられていることを特徴とするスイッチ装置である。
【００８２】
請求項２に記載の発明は、請求項１に記載のスイッチ装置において、前記円筒部材の外周面に設けられた前記突起部は、その外側面が傾斜面に形成され、且つ内側面が軸方向と直交する垂直面に形成されていることを特徴とするスイッチ装置である。
【００８３】
請求項３に記載の発明は、請求項１または請求項２に記載のスイッチ装置において、前記ばね部材は、径方向に弾性変位可能なリング部を有し、このリング部の内周部に前記変位部が前記リング部の中心側に向けて突出する突起状に設けられていることを特徴とするスイッチ装置である。
【００８４】
請求項４に記載の発明は、請求項３に記載のスイッチ装置において、前記変位部には、前記円筒部材の前記突起部にその外側から接近する箇所に面取り部が設けられていることを特徴とするスイッチ装置である。
【００８５】
請求項５に記載の発明は、請求項１または請求項２に記載のスイッチ装置において、前記ばね部材は、リング部を有し、このリング部に前記変位部が前記リング部の内周部から中心側に向けて斜めに傾斜した状態で弾性変形する板ばね状に設けられていることを特徴とするスイッチ装置である。
【符号の説明】
【００８６】
１  腕時計ケース
５、３０  スイッチ装置
６  巻真
７  円筒部材
７ａ  小径筒部
７ｂ  大径筒部
８  操作部材
９、４１  ばね部材
１０  貫通孔
１６  案内溝
１７  突起部
１７ａ  傾斜面
１７ｂ  垂直面
２１  操作頭部
２２  操作軸部
２６  コイルばね
２７、４２  リング部
２８、４３  変位部
２８ａ  面取り部
２９  回転規制部
３０、４６  回転規制溝
３１  リング収納部
４４  押え板
４５  装着溝
【図１】
0005899837.tif 000002
【図２】
0005899837.tif 000003
【図３】
0005899837.tif 000004
【図４】
0005899837.tif 000005
【図５】
0005899837.tif 000006
【図６】
0005899837.tif 000007
【図７】
0005899837.tif 000008
【図８】
0005899837.tif 000009
【図９】
0005899837.tif 000010
【図１０】
0005899837.tif 000011
【図１１】
0005899837.tif 000012
【図１２】
0005899837.tif 000013
【図１３】
0005899837.tif 000014
【図１４】
0005899837.tif 000015
【図１５】
0005899837.tif 000016
【図１６】
0005899837.tif 000017
【図１７】
0005899837.tif 000018
【図１８】
0005899837.tif 000019
【図１９】
0005899837.tif 000020
【図２０】
0005899837.tif 000021